【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
少なくとも複数の文字を文字単位で入力するための規定数のキーを備えたデータ入力システムであって、
前記データ入力システムは、少なくとも１つの言語の少なくもアルファベットの文字を含む複数のシンボルを使用し、前記複数のシンボルは、少なくとも２つの文字が少なくとも１つのキーに割当てられるように前記規定数のキーに割り当てられており、
キーに割り当てられたシンボルは、当該キーへの押圧動作といった当該キーとの既定の相互作用を付与すること、および、当該キーに割り当てられているシンボルの中で当該シンボルを選択するために当該キーに対応する発話情報を付与することによって入力され、前記発話情報は、ユーザの音声およびユーザの口唇の動きの少なくとも１つに基づいて検出および分析されること
を特徴とするデータ入力システム。
【請求項２】
請求項１記載のデータ入力システムであって、
前記発話情報は、前記シンボルに対応する発話を付与するものであること
を特徴とするデータ入力システム。
【請求項３】
請求項１又は２に記載のデータ入力システムであって、
少なくとも、曖昧に似ている発話情報を有し、それぞれの対応する発話情報によって互いに識別することが難しい文字等のシンボルが、異なるキーに別個に割り当てられていること
を特徴とするデータ入力システム。
【請求項４】
請求項３記載のデータ入力システムであって、
それぞれの対応する発話情報によって互いに識別することが難しいシンボルは、互いに最も曖昧に似ている発話情報を有するシンボルであること
を特徴とするデータ入力システム。
【請求項５】
請求項１記載のデータ入力システムであって、
発話の無いことが前記発話情報であり、キーに割り当てられた前記複数のシンボルのうちの少なくとも１つが発話の無い状態で前記キーとの前記既定の相互作用を行うことによって入力されて、前記発話の無いことが前記システムによって検出されること
を特徴とするデータ入力システム。
【請求項６】
請求項１記載のデータ入力システムであって、
前記シンボルはアルファベットの文字であり、前記発話情報は前記文字を話すことであること
を特徴とするデータ入力システム。
【請求項７】
請求項１乃至６のいずれか一項に記載のデータ入力システムであって、
前記複数のシンボルは、数字、句読点文字、コマンドおよび機能のうちの少なくとも１つを含むこと
を特徴とするデータ入力システム。
【請求項８】
請求項１記載のデータ入力システムであって、
前記キー押圧動作および前記発話情報が同時に付与されること
を特徴とするデータ入力システム。
【請求項９】
請求項１乃至８のいずれか一項に記載のデータ入力システムであって、
前記複数のシンボルは、英数字、句読点、および、テキストの入力若しくは編集又はコンピュータの操作のためのコマンドといった、基本シンボルのほぼ全部を含むこと
を特徴とするデータ入力システム。
【請求項１０】
請求項１乃至９のいずれか一項に記載のデータ入力システムであって、
前記データ入力システムは、一般にディスプレイユニットから独立して機能すること
を特徴とするデータ入力システム。
【請求項１１】
請求項１乃至１０のいずれか一項に記載のデータ入力システムであって、
前記複数のシンボルは、英数字、句読点、および、テキストの入力若しくは編集又はコンピュータの操作のためのコマンドといったシンボルを含む基本シンボルのほぼ全部に制限され、その結果、前記システムは一般にディスプレイユニットから独立して機能すること
を特徴とするデータ入力システム。
【請求項１２】
請求項１乃至１１のいずれか一項に記載のデータ入力システムであって、
前記キーは接触感応型であること
を特徴とするデータ入力システム。
【請求項１３】
請求項１乃至１２のいずれか一項に記載のデータ入力システムであって、
前記キーは接触感応型面上に定義されているソフトキーであること
を特徴とするデータ入力システム。
【請求項１４】
請求項１３記載のデータ入力システムであって、
前記接触感応型面は電子装置のタッチスクリーンであること
を特徴とするデータ入力システム。
【請求項１５】
請求項１乃至１４のいずれか一項に記載のデータ入力システムであって、
前記複数のキーは、電話機型キーパッドのキー構成に相似である１２個のキーからなり、少なくとも、ほぼ全部の前記文字が前記キー構成に割り当てられていること
を特徴とするデータ入力システム。
【請求項１６】
請求項１乃至１４のいずれか一項にのデータ入力システムであって、
少なくとも、ほぼ全部の前記文字が前記複数のキーのうちの４個のキーに割り当てられていること
を特徴とするデータ入力システム。
【請求項１７】
請求項１６記載のデータ入力システムであって、
前記４個のキーは２列よりなり、各々が前記キーのうちの２つを有すること
を特徴とするデータ入力システム。
【請求項１８】
請求項１乃至１４のいずれか一項に記載のデータ入力システムであって、
面において互いに関連する前記複数のキーのうちの１０個のキーの配置は、当該指が少なくとも初期タイピング位置にある時の互いに関連するユーザの１０本の指先の配置と相似であること
を特徴とするデータ入力システム。
【請求項１９】
請求項１８記載のデータ入力システムであって、
少なくとも前記文字は、ほほ、各文字がユーザの既定の指によりその対応するキーへの押圧動作が付与されること、および、前記文字に対応する発話を付与することによって入力されるように、前記キーに割り当てられており、前記ユーザの指は、タッチタイピストがＱＷＥＲＴＹキーボード上の同じ文字に対応するキーを押すのと同じ指であること
を特徴とするデータ入力システム。
【請求項２０】
請求項１８又は１９に記載のデータ入力システムであって、
感応型面の前記１０個のキーの配置は、ユーザがテキストといったデータをタイピングする場合に、前記面でほぼ前記ユーザの指の各々によって付与される少なくとも初期押圧動作に基づいて動的に定義されること
を特徴とするデータ入力システム。
【請求項２１】
請求項１乃至１９に記載のデータ入力システムであって、
感応型面の前記キーのうちの少なくとも２つの配置は、前記面の少なくとも２つの実質的に異なる位置での少なくともユーザの初期押圧動作に基づいて動的に定義されること
を特徴とするデータ入力システム。
【請求項２２】
請求項１乃至１９に記載のデータ入力システムであって、
感応型面の各々の実質的に異なる位置への少なくとも初期押圧動作が前記複数のキーのうちの少なくとも１つのキーを動的に定義し、前記押圧位置は前記面の第１のキーの配置を定義し、前記面の前記複数のキーのうちの少なくとも１つの他のキーの配置が前記押圧位置との既定の関係に基づいて定義されること
を特徴とするデータ入力システム。
【請求項２３】
請求項２０乃至２２のいずれか一項に記載のデータ入力システムであって、
前記初期押圧動作を付与とは較正手順であること
を特徴とするデータ入力システム。
【請求項２４】
請求項２０乃至２３のいずれか一項に記載のデータ入力システムであって、
前記面の前記キーの配置は、ユーザが前記面から自分の手を取り除き、再び前記面にそれらを置き直し（ｒｅ−ｌａｙ）、前記初期押圧動作を付与するごとに再定義されること
を特徴とするデータ入力システム。
【請求項２５】
請求項１記載のデータ入力システムであって、
前記複数のキーはキーパッドを定義し、前記キーパッドは、互いに関連する前記キーの各々に割り当てられているシンボルの発話の識別可能性に基づいて構成されていること
を特徴とするデータ入力システム。
【請求項２６】
請求項１記載のデータ入力システムであって、
言語における単語が文字単位で入力されること
を特徴とするデータ入力システム。
【請求項２７】
請求項２６記載のデータ入力システムであって、
前記データ入力システムは、つづり方を誤って入力された単語を訂正するためにスペルチェッカをさらに含むこと
を特徴とするデータ入力システム。
【請求項２８】
請求項１記載のデータ入力システムであって、
言語における単語が前記単語の初めの文字を文字単位で入力することによって入力され、前記データ入力システムは、前記単語の残りの文字を完成するための単語完成システムをさらに含むこと
を特徴とするデータ入力システム。
【請求項２９】
請求項１記載のデータ入力システムであって、
前記キーは仮想キーであること
を特徴とするデータ入力システム。
【請求項３０】
請求項１記載のデータ入力システムであって、
前記キーは電子装置のスクリーン上の区域であること
を特徴とするデータ入力システム。
【請求項３１】
請求項１、２９及び３０のいずれか一項に記載のデータ入力システムであって、
前記既定の相互作用は前記キーに対する既定の位置指示動作であること
を特徴とするデータ入力システム。
【請求項３２】
請求項１又は３１に記載のデータ入力システムであって、
前記キーとの前記相互作用はシステムによって光学的に検出されること
を特徴とするデータ入力システム。
【請求項３３】
任意の文字を少なくとも入力するためのデータ入力システムであって、
複数のキーと、
前記複数のキーに割り当てられた複数のシンボルとを含み、
前記シンボルは、少なくとも１つの言語の少なくともアルファベット文字、および、数字、句読点文字、コマンドおよび機能のうちの少なくとも１つを含む付加的なシンボルを含み、前記シンボルは、前記少なくとも１つの言語の前記アルファベット文字の数が前記文字が割り当てられるキーの数より多いように前記キーに割り当てられており、
前記データ入力システムは、前記複数のキーのうちの１つに割り当てられたシンボルを入力するための少なくとも第１の形式の入力の手順を有しており、
前記少なくとも第１の形式の手順は、
前記キーへの既定の押圧動作といった前記キーとの既定形式の相互作用を付与することであって、前記既定形式の相互作用が前記キーとの少なくとも１つの既定形式の相互作用のうちの１つであること、そして、前記シンボルに対応する既定の発話を付与することとであって、前記複数のシンボルのいずれか２つが入力されるために前記キーとの同じ既定形式の相互作用を持つキーに割り当てられ、そのうちのいずれかが異なる割り当てられた既定の発話を有しており、前記発話は、ユーザの音声及びユーザの口唇の動きの少なくとも１つに基づき検出及び分析されること、を含むこと
を特徴とするデータ入力システム。
【請求項３４】
請求項３３記載のデータ入力システムであって、
前記データ入力システムは、キーに割り当てられたシンボルを入力するための少なくとも第２の形式の手順をさらに含み、
前記第２の手順は、
発話の無い状態で前記キーとの既定形式の相互作用を付与することを含み、前記発話の無いことがシステムによって検出され、前記既定形式の相互作用は前記キーとの少なくとも１つの既定形式の相互作用のうちの１つであり、２つの異なるシンボルが前記発話の無い状態で入力される場合のあるキーに割り当てられた前記２つのシンボルのいずれかは、前記キーとの異なる既定形式の相互作用によって入力されること
を特徴とするデータ入力システム。
【請求項３５】
請求項３４記載のデータ入力システムであって、
発話を要求するシンボルの少なくとも一部及び発話の無いことを要求するシンボルのいくつかは、同じキーに割り当てられていること
を特徴とするデータ入力システム。
【請求項３６】
請求項１乃至３５のいずれか一項に記載のデータ入力システムであって、
前記少なくとも１つの形式の相互作用は、前記キーへの、単回押圧動作、二回押圧動作、押圧・保持動作及び滑動動作のうちの少なくとも１つであること
を特徴とするデータ入力システム。
【請求項３７】
請求項３３記載のデータ入力システムであって、
入力されるために発話を要求するシンボルは少なくとも文字であること
を特徴とするデータ入力システム。
【請求項３８】
請求項３３記載のデータ入力システムであって、
前記文字は、通常、それらの対応するキーへの同じ形式の相互作用及び前記文字を話すことによって入力されること
を特徴とするデータ入力システム。
【請求項３９】
請求項３３記載のデータ入力システムであって、
単回押圧動作が前記少なくとも１つの既定形式の相互作用のうちの１つであり、前記文字は、通常、それらの対応するキーへの単回押圧動作及び前記文字を話すことによって入力されること
を特徴とするデータ入力システム。
【請求項４０】
請求項１乃至３９のいずれか一項に記載のデータ入力システムであって、
前記キーへの単回押圧動作以外のキーへの押圧動作に割り当てられたシンボルは、前記キーへの単回押圧動作に割り当てられているシンボルに比べて一般にあまり普通に使用されないシンボルであること
を特徴とするデータ入力システム。
【請求項４１】
請求項１乃至４０のいずれか一項に記載のデータ入力システムであって、
キーへの二回押圧動作が前記キーとの前記少なくとも１つの既定形式の相互作用のうちの１つであり、前記付加的なシンボルの少なくともいくつかは対応するキーへの二回押圧動作に割り当てられていること
を特徴とするデータ入力システム。
【請求項４２】
請求項３３記載のデータ入力システムであって、
前記付加的なシンボルの各々は、対応するキーへの対応する既定の押圧動作を付与すること、及び、前記シンボルに割り当てられた既定の発話を付与することによって入力されること
を特徴とするデータ入力システム。
【請求項４３】
請求項３４記載のデータ入力システムであって、
発話の無いことを要求するシンボルは一般に、前記付加的なシンボルの少なくともいくつかであること
を特徴とするデータ入力システム。
【請求項４４】
請求項３３記載のデータ入力システムであって、
前記既定の相互作用及び前記発話情報が同時に付与されること
を特徴とするデータ入力システム。
【請求項４５】
請求項１乃至４４のいずれか一項に記載のデータ入力システムであって、
前記キーは接触感応型であること
を特徴とするデータ入力システム。
【請求項４６】
請求項１乃至４５のいずれか一項に記載のデータ入力システムであって、
前記キーは接触感応型面に定義されているソフトキーであること
を特徴とするデータ入力システム。
【請求項４７】
請求項４６記載のデータ入力システムであって、
前記接触感応型面は電子装置のタッチスクリーンであること
を特徴とするデータ入力システム。
【請求項４８】
請求項１乃至４７のいずれか一項に記載のデータ入力システムであって、
前記複数のキーは電話機型キーパッドのキー構成に相似である１２個のキーを含み、少なくとも１つの言語のアルファベット文字の少なくとも実質的に全部が前記１２個のキーの少なくともいくつかに割り当てられていること
を特徴とするデータ入力システム。
【請求項４９】
請求項３３乃至４７のいずれか一項に記載のデータ入力システムであって、
前記複数のキーは少なくとも４個のキーを含み、言語のアルファベット文字の少なくとも実質的に全部が前記４個のキーに割り当てられていること
を特徴とするデータ入力システム。
【請求項５０】
請求項４９記載のデータ入力システムであって、
前記４個のキーは２行のキーに配置されており、前記キー行の各々は前記キーのうちの２つよりなること
を特徴とするデータ入力システム。
【請求項５１】
請求項４９記載のデータ入力システムであって、
前記４個のキーは２列よりなり、各々が前記キーのうちの２つを有すること
を特徴とするデータ入力システム。
【請求項５２】
請求項３３乃至４７のいずれか一項に記載のデータ入力システムであって、
面において互いに関連する前記複数のキーのうちの１０個のキーの配置は、当該指が少なくとも初期タイピング位置にある時の互いに関連するユーザの１０本の指先の場所を実質的に再現していること
を特徴とするデータ入力システム。
【請求項５３】
請求項５２記載のデータ入力システムであって、
少なくとも前記文字は、前記文字の実質的に各々が既定のユーザの指によりその対応するキーへの押圧動作を付与すること及び、前記文字に対応する発話を付与することによって入力されるように前記キーに割り当てられており、前記ユーザの指は、タッチタイピストがＱＷＥＲＴＹキーボード上の同じ文字に対応するキーを押すのと同じ指であること
を特徴とするデータ入力システム。
【請求項５４】
請求項５２又は５３のいずれか一項に記載のデータ入力システムであって、
感応型面の前記１０個のキーの場所は、ユーザがテキストといったデータを打ち込む際に前記面で前記ユーザの指の実質的に各々によって付与される少なくとも初期押圧動作に基づいて動的に定義されること
を特徴とするデータ入力システム。
【請求項５５】
請求項３３乃至５３のいずれか一項に記載のデータ入力システムであって、
感応型面の前記キーのうちの少なくとも２つの少なくとも場所は、前記面の少なくとも２つの実質的に異なる位置への少なくともユーザの初期押圧動作に基づいて動的に定義されること
を特徴とするデータ入力システム。
【請求項５６】
請求項３３乃至５３のいずれか一項に記載のデータ入力システムであって、
感応型面の各々の実質的に異なる位置への初期押圧動作が前記複数のキーのうちの少なくとも１つのキーを動的に定義し、前記押圧位置は前記面の第１のキーの場所を定義し、前記面の前記複数のキーのうちの少なくとも１つの他のキーの場所が前記押圧位置との既定の関係に基づいて定義されること
を特徴とするデータ入力システム。
【請求項５７】
請求項５４乃至５６のいずれか一項に記載のデータ入力システムであって、
前記初期押圧動作を付与することは較正手順であること
を特徴とするデータ入力システム。
【請求項５８】
請求項５４乃至５７のいずれか一項に記載のデータ入力システムであって、
前記面の前記キーの配置は、ユーザが前記面から自分の手を取り除き、再び前記面にそれらを再び置き、前記初期押圧動作を付与するごとに再定義されること
を特徴とするデータ入力システム。
【請求項５９】
請求項３３記載のデータ入力システムであって、
前記複数のキーはキーパッドを定義し、前記キーパッドは、互いに関連する前記キーの各々に割り当てられているシンボルの発話の識別可能性に基づいて構成されていること
を特徴とするデータ入力システム。
【請求項６０】
請求項３３記載のデータ入力システムであって、
前記データ入力システムは、少なくとも任意の一続きの文字を文字単位で付与すること
を特徴とするデータ入力システム。
【請求項６１】
請求項３３記載のデータ入力システムであって、
言語における単語が文字単位で入力されること
を特徴とするデータ入力システム。
【請求項６２】
請求項６１記載のデータ入力システムであって、
前記データ入力システムはつづり方を誤って入力された単語を訂正するためにスペルチェッカをさらに含むこと
を特徴とするデータ入力システム。
【請求項６３】
請求項３３記載のデータ入力システムであって、
言語における単語が前記単語の初めの文字を文字単位で入力することによって入力され、前記データ入力システムは、前記単語の残りの文字を完成するための単語完成システムをさらに含むこと
を特徴とするデータ入力システム。
【請求項６４】
請求項１乃至６３のいずれか一項に記載のデータ入力システムであって、
入力されるために発話を要求するシンボルは、それらの対応する発話によって互いに識別することが難しく、前記キーとの同じ既定の相互作用によって入力される前記シンボルは、異なるキーに別個に割り当てられていること
を特徴とするデータ入力システム。
【請求項６５】
請求項６４記載のデータ入力システムであって、
互いに識別することが難しい前記シンボルは、互いに関して最も曖昧に似ている発話を有する少なくともシンボルであること
を特徴とするデータ入力システム。
【請求項６６】
請求項１乃至６５のいずれか一項に記載のデータ入力システムであって、
前記複数のシンボルは、英数字、句読点、及び、テキストの入力若しくは編集又はコンピュータの操作のどちらか一方のためのコマンドといったシンボルを含む基本シンボルのほぼ全部を含むこと
を特徴とするデータ入力システム。
【請求項６７】
請求項１乃至６６のいずれか一項に記載のデータ入力システムであって、
前記データ入力システムは、一般にディスプレイユニットから独立して機能すること
を特徴とするデータ入力システム。
【請求項６８】
請求項１乃至６７のいずれか一項に記載のデータ入力システムであって、
前記複数のシンボルは、英数字、句読点、及び、テキストの入力若しくは編集又はコンピュータの操作のどちらか一方のためのコマンドといったシンボルを含む基本シンボルのほぼ全部に一般に制限され、その結果、前記システムは一般にディスプレイユニットから独立して機能すること
を特徴とするデータ入力システム。
【請求項６９】
請求項３３記載のデータ入力システムであって、
前記既定形式の相互作用は、指の先端部分又は前記指の平坦部分の一方で前記キーを押すことであること
を特徴とするデータ入力システム。
【請求項７０】
データ入力システムであって、
当該キーによって任意の文字を少なくとも入力するための既定の数のキーを含み、前記データ入力システムは、少なくとも１つの言語の少なくともアルファベット文字を含む複数のシンボルを使用し、前記シンボルは、前記少なくとも１つの言語の少なくとも２つの文字が前記キーのうちの少なくとも１つに割り当てられるように前記キーに割り当てられており、
あるキーに割り当てられたシンボルは、前記シンボルのうちの少なくとも１つを含んでいる少なくとも１グループのシンボルを形成し、キーの前記少なくとも１グループのシンボルの各々は、前記キーへの少なくとも１形式の押圧動作のうちの１つといった前記キーとの少なくとも１つの既定形式の相互作用のうちの１つに割り当てられており、
前記キーの前記シンボルグループのうちの１つのシンボルが、前記シンボルグループに対応する前記既定の相互作用を前記キーにより付与すること、及び、前記キーの前記シンボルグループの中で前記シンボルを選定するために前記シンボルに対応する発話情報を付与することによって入力され、前記発話情報は、ユーザの音声及びユーザの口唇の動きのうちの少なくとも１つに基づき検出及び分析されること
を特徴とするデータ入力システム。
【請求項７１】
請求項７０記載のデータ入力システムであって、
前記複数のシンボルは、数字、句読点文字、コマンド及び機能のうちの少なくとも１つを有する付加的なシンボルをさらに含むこと
を特徴とするデータ入力システム。
【請求項７２】
請求項７０又は７１のいずれか一項に記載のデータ入力システムであって、
キーに割り当てられたシンボルは少なくとも２グループのシンボルを形成し、前記シンボルの第１及び第２のグループがそれぞれ、前記キーへの第１及び第２の形式の押圧動作に割り当てられていること
を特徴とするデータ入力システム。
【請求項７３】
請求項７２記載のデータ入力システムであって、
前記第１及び第２の押圧動作はそれぞれ、前記キーへの単回及び二回押圧動作であること
を特徴とするデータ入力システム。
【請求項７４】
請求項７２記載のデータ入力システムであって、
シンボルが、対応するキーへの対応する押圧動作を付与すること及び、前記シンボルの既定の名称を話すことによって入力されること
を特徴とするデータ入力システム。
【請求項７５】
請求項７４記載のデータ入力システムであって、
文字が、通常、対応するキーへの単回押圧動作及び前記文字を話すことによって入力されること
を特徴とするデータ入力システム。
【請求項７６】
請求項７３記載のデータ入力システムであって、
キーへの二回押圧動作に割り当てられたシンボルは、通常、前記キーへの単回押圧動作に割り当てられているシンボルに比べてあまり普通に使用されないシンボルであること
を特徴とするデータ入力システム。
【請求項７７】
請求項７０記載のデータ入力システムであって、
キーへの単回押圧動作が前記キーへの前記少なくとも１つの形式の前記押圧動作のうちの１形式であること
を特徴とするデータ入力システム。
【請求項７８】
請求項１乃至７７のいずれか一項に記載のデータ入力システムであって、
前記文字は、通常、それらの対応する発話と組み合わされ、それらの対応するキーへの同じ既定の押圧動作により入力されること
を特徴とするデータ入力システム。
【請求項７９】
請求項７８記載のデータ入力システムであって、
前記押圧動作は前記キーへの単回押圧動作であること
を特徴とするデータ入力システム。
【請求項８０】
請求項１乃至７９のいずれか一項に記載のデータ入力システムであって、
単回押圧動作が前記少なくとも１つの形式の押圧動作のうちの１つであり、欧字又は数が一般に、対応するキーへの単回押圧動作及び、前記文字又は数を話すことによって入力されること
を特徴とするデータ入力システム。
【請求項８１】
請求項７０記載のデータ入力システムであって、
二回押圧動作又は滑動動作が、前記少なくとも１つの形式のキーへの押圧動作のうちの１つであること
を特徴とするデータ入力システム。
【請求項８２】
請求項７７記載のデータ入力システムであって、
キーへの単回押圧動作以外の押圧動作に割り当てられたシンボルは、前記キーへの単回押圧動作に割り当てられているシンボルに比べてあまり普通に使用されないシンボルであること
を特徴とするデータ入力システム。
【請求項８３】
請求項８２記載のデータ入力システムであって、
前記他の押圧動作は、対応するキーへの二回押圧動作及び滑動動作のうちの少なくとも１つであること
を特徴とするデータ入力システム。
【請求項８４】
請求項７０記載のデータ入力システムであって、
前記少なくとも１つの既定形式の相互作用は、前記キーへの軽い及び強い押圧動作のうちの少なくとも１つであること
を特徴とするデータ入力システム。
【請求項８５】
請求項７０記載のデータ入力システムであって、
前記少なくとも１つの形式の押圧動作は、２つのキーを同時に押すことであること
を特徴とするデータ入力システム。
【請求項８６】
請求項７０記載のデータ入力システムであって、
前記発話情報は前記シンボルを話すことであること
を特徴とするデータ入力システム。
【請求項８７】
請求項７０記載のデータ入力システムであって、
前記発話情報は、前記キーに印刷された他のシンボルに対して前記キーに印刷された前記シンボルの位置を話すことに対応していること
を特徴とするデータ入力システム。
【請求項８８】
請求項１乃至８７記載のいずれか一項に記載のデータ入力システムであって、
発話の無いことが前記発話情報とみなされ、前記システムは前記発話の無いことを検出し、キーの前記シンボルグループ内の既定のシンボルが、発話の無い状態で前記グループに対応する前記押圧動作によって入力されること
を特徴とするデータ入力システム。
【請求項８９】
請求項８８記載のデータ入力システムであって、
前記シンボルは一般に、句読点文字、コマンド又は機能のうちの１つであること
を特徴とするデータ入力システム。
【請求項９０】
請求項８８記載のデータ入力システムであって、
発話を要求するシンボルの少なくとも一部及び発話の無いことを要求するシンボルの少なくともいくつかは、同じキーに割り当てられていること
を特徴とするデータ入力システム。
【請求項９１】
請求項８８記載のデータ入力システムであって、
発話を要求するシンボルの少なくとも一部及び発話の無いことを要求するシンボルのうちの１つは、キーの同じシンボルグループに割り当てられていること
を特徴とするデータ入力システム。
【請求項９２】
請求項７０記載のデータ入力システムであって、
前記押圧動作及び前記発話情報は同時に付与されること
を特徴とするデータ入力システム。
【請求項９３】
請求項７０記載のデータ入力システムであって、
シンボルを入力する時に、キーへの押圧動作及び対応する発話情報が正しく付与され、前記システムが前記押圧動作に対応するシンボルグループのうちの誤ったシンボルを入力し、前記ユーザが前記シンボルを消去し同じ押圧動作を繰り返し同じ発話情報を付与した場合、前記システムは、前記キーへの前記押圧動作に対応するシンボルの中で前記発話情報に最善に合致している別のシンボルを選定すること
を特徴とするデータ入力システム。
【請求項９４】
請求項７０記載のデータ入力システムであって、
前記キーの前記シンボルグループのうちの少なくとも２つが少なくとも同じシンボルを含有すること
を特徴とするデータ入力システム。
【請求項９５】
請求項１乃至９４のいずれか一項に記載のデータ入力システムであって、
前記キーは接触感応型であること
を特徴とするデータ入力システム。
【請求項９６】
請求項１乃至９５のいずれか一項に記載のデータ入力システムであって、
前記キーは接触感応型面に定義されているソフトキーであること
を特徴とするデータ入力システム。
【請求項９７】
請求項９６記載のデータ入力システムであって、
前記接触感応型面は電子装置のタッチスクリーンであること
を特徴とするデータ入力システム。
【請求項９８】
請求項１乃至９７のいずれか一項に記載のデータ入力システムであって、
前記キーは電話機型キーパッドのキー構成に相似である１２個のキーを含み、少なくとも１つの言語のアルファベット文字の実質的に全部が前記１２個のキーの少なくともいくつかに割り当てられていること
を特徴とするデータ入力システム。
【請求項９９】
請求項１乃至９８のいずれか一項に記載のデータ入力システムであって、
前記キーは電話機型キーパッドのキー構成に相似である１２個のキーを含み、少なくとも１つの言語の英数字の実質的に全部及び前記付加的なシンボルの少なくとも一部が、前記１２個のキーの少なくともいくつかに割り当てられていること
を特徴とするデータ入力システム。
【請求項１００】
請求項９９記載のデータ入力システムであって、
言語の少なくとも英数字は、前記言語における電話機型キーパッドの英数字構成を再現するために前記１２個のキー上に配分されていること
を特徴とするデータ入力システム。
【請求項１０１】
請求項１乃至１００のいずれか一項に記載のデータ入力システムであって、
前記キーは少なくとも４個のキーを含み、言語のアルファベット文字の少なくとも実質的に全部が前記４個のキーに割り当てられていること
を特徴とするデータ入力システム。
【請求項１０２】
請求項１乃至１０１のいずれか一項に記載のデータ入力システムであって、
前記キーは少なくとも４個のキーを含み、アルファベット文字の実質的に全部及び前記付加的なシンボルの少なくとも一部が前記４個のキーに割り当てられていること
を特徴とするデータ入力システム。
【請求項１０３】
請求項１０１又は１０２に記載のデータ入力システムであって、
前記４個のキーは２行のキーに配置されており、前記キー行の各々は前記キーのうちの２つよりなること
を特徴とするデータ入力システム。
【請求項１０４】
請求項１０１又は１０２に記載のデータ入力システムであって、
前記４個のキーは２列よりなり、各々が前記キーのうちの２つを有すること
を特徴とするデータ入力システム。
【請求項１０５】
請求項７０乃至９７のいずれか一項に記載のデータ入力システムであって、
面において互いに関連する前記複数のキーのうちの１０個のキーの場所は、当該指が少なくとも初期タイピング位置にある時の互いに関連するユーザの１０本の指先の場所を実質的に再現していること
を特徴とするデータ入力システム。
【請求項１０６】
請求項１０５記載のデータ入力システムであって、
少なくとも前記文字は、前記文字の実質的に各々が既定のユーザの指によりその対応するキーへの押圧動作を付与すること、及び、前記文字に対応する発話を付与することによって入力されるように前記キーに割り当てられており、前記ユーザの指は、タッチタイピストがＱＷＥＲＴＹキーボード上の同じ文字に対応するキーを押すのと同じ指であること
を特徴とするデータ入力システム。
【請求項１０７】
請求項１０５又は１０６に記載のデータ入力システムであって、
感応型面の前記１０個のキーの場所は、前記ユーザがテキストといったデータを打ち込む際に前記面でユーザの指の実質的に各々によって付与される少なくとも初期押圧動作に基づいて動的に定義されること
を特徴とするデータ入力システム。
【請求項１０８】
請求項７０乃至１０６のいずれか一項に記載のデータ入力システムであって、
感応型面の前記キーのうちの少なくとも２つの場所は、前記面の少なくとも２つの実質的に異なる位置への少なくともユーザの初期押圧動作に基づいて動的に定義されること
を特徴とするデータ入力システム。
【請求項１０９】
請求項７０乃至１０６のいずれか一項に記載のデータ入力システムであって、
感応型面の各々の実質的に異なる位置への少なくとも初期押圧動作が前記複数のキーのうちの少なくとも１つのキーを動的に定義し、前記押圧位置は前記面の第１のキーの場所を定義し、前記面の前記複数のキーのうちの少なくとも１つの他のキーの場所が前記押圧位置との既定の関係に基づいて定義されること
を特徴とするデータ入力システム。
【請求項１１０】
請求項１０７乃至１０９のいずれか一項に記載のデータ入力システムであって、
前記初期押圧動作を付与することは較正手順であること
を特徴とするデータ入力システム。
【請求項１１１】
請求項１０７乃至１１０のいずれか一項に記載のデータ入力システムであって、
前記面の前記キーの配置は、ユーザが前記面から自分の手を取り除き、再び前記面にそれらを再び置き、前記初期押圧動作を付与するごとに再定義されること
を特徴とするデータ入力システム。
【請求項１１２】
請求項７０記載のデータ入力システムであって、
前記複数のキーはキーパッドを定義し、前記キーパッドは、互いに関連する前記キーの各々に割り当てられているシンボルの発話の識別可能性に基づいて構成されていること
を特徴とするデータ入力システム。
【請求項１１３】
請求項７０記載のデータ入力システムであって、
言語における単語が文字単位で入力されること
を特徴とするデータ入力システム。
【請求項１１４】
請求項１１３記載のデータ入力システムであって、
前記データ入力システムはつづり方を誤って入力された単語を訂正するためにスペルチェッカをさらに含むこと
を特徴とするデータ入力システム。
【請求項１１５】
請求項７０記載のデータ入力システムであって、
言語における単語が前記単語の初めの文字を文字単位で入力することによって入力され、前記データ入力システムは、前記単語の残りの文字を完成するための単語完成システムをさらに含むこと
を特徴とするデータ入力システム。
【請求項１１６】
請求項１乃至１１５のいずれか一項に記載のデータ入力システムであって、
入力されるために発話を要求し、対応する発話によって互いに識別することが難しいシンボルは、前記キーの異なるシンボルグループ内に別個に含まれていること
を特徴とするデータ入力システム。
【請求項１１７】
請求項１１６記載のデータ入力システムであって、
入力されるために発話を要求し、対応する発話によって互いに識別することが難しいシンボルは、互いに関して最も曖昧に似ている発話を有する少なくともシンボルであること
を特徴とするデータ入力システム。
【請求項１１８】
請求項１乃至１１７のいずれか一項に記載のデータ入力システムであって、
前記複数のシンボルは、英数字、句読点、及び、テキストの入力若しくは編集又はコンピュータの操作のどちらか一方のためのコマンドといった、基本シンボルのほぼ全部を含むこと
を特徴とするデータ入力システム。
【請求項１１９】
請求項１乃至１１８のいずれか一項に記載のデータ入力システムであって、
前記データ入力システムは、一般にディスプレイユニットから独立して機能すること
を特徴とするデータ入力システム。
【請求項１２０】
請求項１乃至１１９のいずれか一項に記載のデータ入力システムであって、
前記複数のシンボルは、英数字、句読点、及び、テキストの入力若しくは編集又はコンピュータの操作のどちらか一方のためのコマンドといったシンボルを含む基本シンボルのほぼ全部に一般に制限され、その結果、前記システムは一般にディスプレイユニットから独立して機能すること
を特徴とするデータ入力システム。
【請求項１２１】
請求項７０記載のデータ入力システムであって、
前記既定形式の相互作用は、指の先端部分又は前記指の平坦部分の一方で前記キーを押すことであること
を特徴とするデータ入力システム。